(57)【特許請求の範囲】
【請求項１】
基材上にワイヤコイルからなるアンテナと、該ワイヤコイルに接続されたＩＣチップを
備えた非接触通信媒体の製造方法であって、
開口部が設けられた第一の基材上に、ワイヤコイルの両端が開口部を跨ぐように基材上
にワイヤコイルを固定する工程と、
前記基材のワイヤコイルを固定した面と反対の面の側から導電層パターンを備えた接続
パッドを前記開口部に配置し、前記固定されたワイヤコイルと導電層パターンとを接触さ
せて該ワイヤコイルを前記接続パッドに接続する工程とを有し、
前記導電層パターンは、ワイヤコイル接続部とＩＣチップ接続部を備え、ワイヤコイルを
前記ワイヤコイル接続部に接続した後、ＩＣチップを前記ＩＣチップ接続部に接続したこ
とを特徴とする非接触通信媒体の製造方法。
【請求項２】
前記ワイヤコイル接続部及び前記ＩＣチップ接続部は接続パッド上同一面上に形成され
ており、前記基材のワイヤコイルを固定した面の側からＩＣチップを接続したことを特徴
とする請求項１に記載の非接触通信媒体の製造方法。
【発明の詳細な説明】
【技術分野】
【０００１】
本発明は、非接触ＩＣカード等のアンテナ及びＩＣチップを備えた非接触通信媒体及び非接触通信媒体の製造方法に関する。
【背景技術】
【０００２】
ＩＣカードやＲＦＩＤタグは、非接触で通信を行うため、これらはインレットと呼ばれる、アンテナをＩＣチップに接続した基本構成を備えている。
【０００３】
アンテナの構成方法には、基材上の金属層をエッチングを用いてパターニングしたエッチングアンテナと、絶縁膜で被覆された金属線を巻回し、基材上に固定した巻線アンテナ（ワイヤコイル）がある。前者は、パターニング形状に自由度があるものの、コイル状にするためにはジャンパー線が必要となり、両面にパターニングしなければならない。また大部分の金属層が無駄になる。後者は、絶縁膜で被覆されていることから配線を交差させることができる。このような絶縁膜で被覆された銅線（ワイヤ）を用いたもののうち、基材上で直接ワイヤを引き回すとともに固定するものは、ワイヤ布線法としても知られている（特許文献１参照）。
【０００４】
特許文献２にはワイヤ布線法を用いて非接触通信媒体用のワイヤコイルを形成した構成が開示されている。特許文献２では、基材に開口部を設け、開口部上を少なくともアンテナコイルの両端が通るように布線している。次にＩＣモジュールをアンテナに接続部分（ターミナル部分）が接触するように、ＩＣモジュールの裏面をアンテナ側に向けて開口部に配置し、ＩＣモジュールを超音波で実装している。これにより、アンテナ形成からＩＣモジュールの実装までを連続的に行える。
【０００５】
しかしながら、特許文献２に記載された方法の問題点は、ＩＣを実装する工程で歩留まりが悪くなることである。これは以下の理由による。一つ目は、ＩＣモジュールの裏面にアンテナコイルを直接接続しているために、超音波実装時の位置あわせが難しいということである。これは特に接続部分（特許文献２におけるターミナル部分）が小さい場合に問題となる。二つ目は、ＩＣがパッケージ化されたＩＣモジュールを用いる必要があるために、超音波実装時にＩＣモジュール部分に負荷が掛かるということである。
【０００６】
一方、特許文献３のように、アンテナと同一の基材上に、ICチップを実装する場合、基材が固定された状態で実装する必要がある。特に超音波実装の場合には、基材が振動するため、紙基材や薄いプラスチックフィルムのような柔らかい基材上では、ICチップの実装が困難であった。このことは、ＲｔｏＲ（リールトゥリール、ロールトゥロール）での製造が難しくなるために、生産性の点から不利である。
【先行技術文献】
【特許文献】
【０００７】
【特許文献１】特開昭６０−１４３６９４号公報
【特許文献２】特許第３７２１５２０号公報
【特許文献３】特許第２８１０５４７号公報
【発明の概要】
【発明が解決しようとする課題】
【０００８】
以上のような既存技術の問題点を鑑みて本発明では、ワイヤコイルを用いた、生産性の高い非接触通信媒体及び非接触通信媒体の製造方法を提供することを特徴とする。
【課題を解決するための手段】
【０００９】
上記課題を鑑みて為された請求項１に係る発明は、基材上にワイヤコイルからなるアンテ
ナと、該ワイヤコイルに接続されたＩＣチップを備えた非接触通信媒体の製造方法であっ
て、開口部が設けられた第一の基材上に、ワイヤコイルの両端が開口部を跨ぐように基材
上にワイヤコイルを固定する工程と、前記基材のワイヤコイルを固定した面と反対の面の
側から導電層パターンを備えた接続パッドを前記開口部に配置し、前記固定されたワイヤ
コイルと導電層パターンとを接触させて該ワイヤコイルを前記接続パッドに接続する工程
とを有し、前記導電層パターンは、ワイヤコイル接続部とＩＣチップ接続部を備え、ワイ
ヤコイルを前記ワイヤコイル接続部に接続した後、ＩＣチップを前記ＩＣチップ接続部に
接続したことを特徴とする非接触通信媒体の製造方法である。
また請求項２に係る発明は、前記ワイヤコイル接続部及び前記ＩＣチップ接続部は接続
パッド上同一面上に形成されており、前記基材のワイヤコイルを固定した面の側からＩＣ
チップを接続したことを特徴とする請求項１に記載の非接触通信媒体の製造方法である。
【発明の効果】
【００１１】
また本発明に係る非接触通信媒体の製造方法によれば、アンテナシートとは別に設けた接続パッドにワイヤコイル及びＩＣチップの実装を行うことで、アンテナシートの基材に紙基材やプラスチック基材のようなフィルム基材を用いて、ＲｔｏＲで生産することができる。
【図面の簡単な説明】
【００１２】
【図１】本発明に係るアンテナシートの実施形態を示す模式図である。
【図２】本発明に係るアンテナシートの実施形態を示す模式図である。
【図３】本発明に係る非接触通信媒体の実施形態を示す模式図である。
【図４】本発明に係る非接触通信媒体の実施形態を示す断面模式図である。
【図５】本発明に係る接続パッドの構成例を示す模式図である。
【図６】本発明に係る接続パッドの製造工程を示す模式図である。
【図７】本発明に係る非接触通信媒体の実施形態を示す断面模式図である。
【図８】本発明に係る非接触通信媒体の製造工程を示す模式図である。
【図９】本発明に係る非接触通信媒体の製造工程を示す模式図である。
【図１０】本発明に係る非接触通信媒体の製造工程を示す模式図である。
【発明を実施するための形態】
【００１３】
以下、本発明の実施形態について説明する。
図１及び図２は、本発明に係るアンテナシートの一実施形態を示すものである。第一の基材上１１に、絶縁膜で被覆されたワイヤをコイル状に固定することにより、アンテナを構成するワイヤコイル１２が設けられている。このとき、ワイヤコイルの両端は、基材に設けられた開口部１３上を通るように、すなわち開口部１３を跨ぐように固定されている。なお図１では、コイルの周径を基材上でできるだけ大きくとるためにコイル内に開口部を形成しているが、コイルの外側に形成しても良い。
【００１４】
第一の基材１１は、ワイヤコイル１２が固定できるものであれば特に制限はないが、ＲｔｏＲで製造できるように、可撓性のある材料を用いることが好ましい。例えばプラスチックフィルムとして、ポリエチレンテレフタレート（ＰＥＴ）、ポリブチレンテレフタレート（ＰＢＴ）、ポリブチレンナフタレート（ＰＢＮ）、ポリエチレンナフタレート（ＰＥＮ）、ポリカーボネート等を用いることができる。本発明の非接触通信媒体に用いる基材の厚みは５０μｍ〜４００μｍ程度である。これらは、超音波溶着によりワイヤコイルを埋め込んで形成することができる。
【００１５】
また、ポリエチレン等のポリオレフィン系樹脂や、ポリアミド、ポリビニルアルコール（PVA）等のホットメルト等の接着剤や粘着剤を接着層として基材上に塗工して用いることで、紙基材等の材料を基材として用いることが可能である。特に特許第４４１２６７８号に記載されているような、紙基材への含浸が少ない網状のホットメルト接着剤からなる接着層を形成することで、ワイヤコイル及び紙基材のリサイクルが容易となり好ましい。
【００１６】
紙基材としては、一般的なパルプを抄いた紙があげられるが、特にこれに限られるものではない。合成繊維を用いたものであっても、繊維の柔軟性から、ワイヤコイルやＩＣチップの凹凸緩衝効果がある。基材の厚みは、１００μｍ以上であることが好ましい。１００μｍより小さいと、凹凸緩衝効果が少ない。また、紙基材の場合には、３００μｍ以下であることが好ましい。３００μｍを超えると、基材として積層した際に、紙厚が３００μｍを超えると紙内で剥離を生じるおそれがある。
【００１７】
ワイヤコイル１２の材料としては、金属線を絶縁層で被覆したものを用いることができ、特にエナメル線（銅線）がワイヤコイルとして好適である。被覆する樹脂はポリウレタン、ポリイミド等、ワイヤがボンディング装置により後述の電極パッドに実装可能な材料であればよい。ワイヤの太さは、直径８０〜１５０μｍ程度が好適である。
【００１８】
次に図２に図示したアンテナシート２００では、アンテナシートの開口部１３にＩＣチップを実装するための接続パッド２０を配置し、電極パッド上の少なくとも一点（ワイヤコイル接続部２２１、図５参照）で、ワイヤコイルを固定している。開口部の縦幅、横幅は、接続パッドの径と等しいことが好ましく、その隙間が１ｍｍ以下であれば、後述するようにアンテナシートの上下に基材やシートを積層した際に、凹凸を生じないため好ましい。
【００１９】
本発明のアンテナシートによれば、ＩＣチップを実装する領域が、第一の基材１１と別の基板として設けられているため、第一の基材が紙基材のように、剛性が低い材料であっても、アンテナシートへのＩＣチップ実装が可能となる。また、ＩＣモジュールをワイヤコイルに直接実装する特許文献１と異なり、接続パッド付きのアンテナシートを形成した後に、ＩＣチップを実装することが可能であるので、ＲｔｏＲで接続パッドを実装したアンテナシートを製造することができる。むろん、ICチップを接続パッドに実装しモジュール化した後に、アンテナシート基材と接続パッドを接続しても良い。
【００２０】
図３は、図２のアンテナシートにＩＣチップ２３を実装した非接触通信媒体（インレット）３００の模式である。また図４は、図３の非接触通信媒体３００のＳ１―Ｓ２線での断面模式図である。電極パッド２２上に、ワイヤコイル１２と、ＩＣチップ２３が実装されている。接続パッド上の電極パッド２２において、ワイヤコイルを電気的に接続している。さらに電極パッドは、ＩＣチップと電気的に接続されている。
【００２１】
図４に記載の非接触通信媒体の実施形態では、接続パッド上にモールドされていないＩＣチップを直接実装しているので、ＩＣチップ実装基材の厚みを薄くすることが可能である。特許文献１や、一般的なＩＣカードでは、ワイヤコイルとＩＣチップが直接接続できるように、ＩＣチップと接続電極がモジュール化されている。一方、本発明の非接触通信媒体によれば、ワイヤコイル及びＩＣチップを同一平面状でそれぞれ接続する接続パッドを設けることにより、ＩＣモジュールをワイヤコイルに直接接続した場合と比較して、チップ膜厚を薄くできる。このため後述するように、非接触通信媒体（インレット）３００に第二の基材を貼り合わせる場合にも表面の凹凸を低減することができる。なお、実装するＩＣチップはあらかじめ加工が為されていても良い。例えば、ＩＣチップの保護部材として、ＳＵＳ板をＩＣチップに貼り付けたものを接続パッドに実装しても良い。
【００２２】
図５は、接続パッド２０の構成例を拡大して示した模式図である。図５（Ａ）は接続パッドのＩＣチップ２３を実装する側（おもて面）であり、図５（Ｂ）は、反対側（うら面）を示している。接続パッドは、接続パッド用基材２１上に、ＩＣチップ及びワイヤコイルとの接続部（電極パッド２２）として、少なくともワイヤコイル１２を接続するワイヤコイル接続部２２１と、ＩＣチップを接続するＩＣチップ接続部２２２とを備えた導電層パターンが形成されている。また、ＩＣチップ等の実装時の位置合わせ用のアライメントマーク２４を設けても良い。図５（Ｂ）に示すように、表面と同様に裏面にも金属等の導電層パターンを設けておくことにより、接続パッドの反りを抑制することができる。特に電極パッドのパターン形状が表裏で同じであれば、反りの応力等しくなるので好ましいが、これに限られるわけではない。
【００２３】
両面に導電層パターンを形成する場合、接続パッド基板にビアホールを設け、ICチップ及びワイヤコイルを接続する接続部をそれぞれ別の面に設けることもできるが、同一面上に設けることが好ましい。ワイヤコイル及びＩＣチップを同一平面状でそれぞれ電極パッドに接続することで、インレットの厚みを低減することができる。
【００２４】
図６は、本発明に係る接続パッドの製造工程を示す模式図である。長丈の接続パッド用基材に導電層パターンを多面付けしている。図６の実施形態では、接続パッド用基材の両端にスプロケットホールが設けられ搬送及び位置あわせが可能になっている。点線の領域が、接続パッドとして打ち抜かれる領域である。接続パッドの形状は、ＭＯＡ２、ＭＯＡ４、ＭＯＡ６、ＭＣＣ８、ＦＴＭ８等のＩＣモジュールサイズとすれば、一般的なＩＣモジュール用の打ち抜き加工装置を用いることができる。導電層パターンは、例えば両面に金属箔が設けられた基材をエッチングしてパターニングする。導電層パターンの材料にはＡｕ、Ａｇ、Ｃｕ、Ａｌや、導電率の高い合金等を用いればよい。これ以外にも導電性インキを用いた各種印刷や、真空蒸着等でパターン形成しても良い。さらに、導電層は多層積層構造としても良い。例えば、第一金属層の金属層を電極として第二金属層を電解めっきすることができる。図６の実施形態では、電解めっきするために、導電層パターン中の各電極パッドが繋がるように電解めっき用配線２５を設けている。最表面に形成する導電層は、例えばＡｕ等のワイヤコイルやＩＣチップの実装に好適な材料を用いることができる。
【００２５】
接続パッド用基材としては、ICチップの実装に適した強度の基材であれば、特に制限はない。エポキシ樹脂系の基材の他、ＰＥＴ、ＰＥＮなどのポリエステルフィルム基材、ポリイミド基材、アクリル系基材、塩化ビニル系基材等を用いることができる。
【００２６】
電極パッド２２（導電層パターン）を含む接続パッドの厚みｄ２は、第一の基材の厚み（平均膜厚）がｄ１とすると、アンテナシートの平滑性のために、｜ｄ１―ｄ２｜≦１００μｍであることが好ましい。さらにＩＣチップを実装する際には、ＩＣチップの厚み差を緩和し、なおかつＩＣチップの一部が基材上平面から突出していたほうが、実装機ヘッドの大きさに依存せずに実装することができるため、ＩＣチップを接続パッドに接続したときの接続パッドの底部からＩＣチップの頭頂部までの高さｄ３としたとき、ｄ３≧ｄ１≧ｄ２であることが好ましい。
【００２７】
図７（Ａ）、（Ｂ）は、本発明に係る非接触通信媒体の別の実施形態であり、ＩＣチップ２３を実装したインレット３００を、第二の基材７１で挟んだものである。図７（Ａ）の実施形態は、接着層７３として、ポリプロピレン等の熱可塑性樹脂を第二の基材の貼り合わせ面に塗工し、ＩＣチップを実装したアンテナシートを挟んでラミネートにより接着したものである。第二の基材は、第一の基材１１のＩＣチップ及びワイヤコイルを実装した面に１層貼り合わせてＩＣチップ及びワイヤコイルを保護するものでもあっても良いし、強度や厚みを持たせる等の目的で複数積層しても良い。これらは、例えばカード形状とすることで非接触ＩＣカードとして用いることができる。また図７（Ｂ）の実施形態では、さらに別の第二の基材をアンテナシートのワイヤコイル形成面に積層されており、第二の基材が内層基材と、上下２枚の外層基材を備える。内層基材によりワイヤ及びＩＣチップの凹凸を緩衝することができる。
【００２８】
第二の基材は第一の基材と同様に、樹脂基材や紙基材を用いることができる。樹脂基材としては、ポリエチレンテレフタレート（ＰＥＴ）、ポリブチレンテレフタレート（ＰＢＴ）、ポリブチレンナフタレート（ＰＢＮ）、ポリエチレンナフタレート（ＰＥＮ）、ポリカーボネート等を用いることができる。樹脂基材の場合には、加熱しながらラミネートすることで、基材の接着面を溶融させて貼り合わせることができる。この場合には、貼り合わせ面に反対側の樹脂よりもガラス転移温度が低い材料を用いる。特に第一の基材と第二の基材で同じ材料を用いると基材同士の接着性が良く好ましい。また、貼り合わせ面に接着層を塗布するとともに、第一の基材に貼り合わせても良い。この場合の接着層としてはホットメルト接着剤でも良いし、粘着剤を用いても良い。
【００２９】
第二の基材が紙基材の場合にも第一の基材と同様な材料を用いることができる。各紙基材の間に熱可塑性樹脂を積層し、各紙基材を熱可塑性樹脂の溶融接着により固定すれば、繊維間に極力樹脂を含浸させずに紙基材を貼り合わせる事ができるため、容易に紙繊維を熱可塑性樹脂から分離させることができため、リサイクル性に優れた非接触通信媒体とすることができる。特に第一の基材、第二の基材にいずれも紙基材とし、各接着層が紙基材に含浸しにくいホットメルト（熱可塑性樹脂）を用いることで、媒体のリサイクル割合を高めることができる。紙基材の貼り合わせは、樹脂の基材と同様に、あらかじめ紙基材の片面にホットメルト接着剤を塗布して接着層を形成した後に第一の基材に加熱しながらラミネートしても良いし、ホットメルト接着剤を塗布するとともに第一の基材と貼り合わせても良い。なおここでいう溶融接着とは、溶媒を用いずに、加熱により軟化させて基材に固着させる形態の熱可塑性樹脂材料を用いて、紙基材を貼りあわせていることを意味する。
【００３０】
インレット３００のＩＣチップ２３積層面に対向する第二の基材７１は、ＩＣチップ該当位置に凹部や開口部を設けても良いが、ＩＣチップの大きさが１ｍｍ角以下程度であれば、凹部や開口部を設けなくてもＩＣチップに対向する第二の基材によって、凹凸を緩衝させることができる。特に、界面に厚膜の接着層７１を用いた場合や、第二の基材に紙基材を用いた場合に凹凸緩衝効果が大きい。
【００３１】
最外層となる第二の基材の表面には、印字特性の向上のための印刷層や、耐水・耐湿のための保護層を設けても良い。これらの印刷層／保護層は、多層構造としても良い。印刷層／保護層の形成や、絵柄・文字の印刷は基材の積層前あるいは積層後のいずれでも可能であるが、絵柄・文字の印刷は、積層前に行うことが好ましい。紙基材を用いた場合には、一般的な紙印刷設備を用いて印刷を行うことができる。また積層前なので、基材が印刷工程で反ることもない。
【００３２】
ＩＤカードのように、非接触通信媒体形成後に個別印字を行う場合、最外層の第二の基材表面にプライマー層形成等の表面処理を施し接着性を向上させた後に、プライマー層上に受像層を設ける。受像層はポリアクリルビニル等のビニル系樹脂あるいはポリエステル系樹脂が好ましい。これらの受像層を構成する樹脂は、基材加熱圧着（ラミネート）時に第二の基材表面から剥離してしまうおそれがあるため、紙基材を積層した後に形成することが好ましい。
【００３３】
また別の印字方法として、中間転写シートに印字し、これを最外層となる第二の基材の表面に転写する方法がある。また基材へのレーザ照射によるエングレービング加工により印字しても良い。第二の基材にポリカーボネート等のエングレービング加工に適した材料を用いれば、直接印字することが可能である。
【００３４】
本発明に係るアンテナシート及び非接触通信媒体によれば、アンテナシートとは別に接続パッドが設けられており、接続パッド上に形成された電極パッドに、ワイヤコイルとＩＣチップとをそれぞれ接続されているため、アンテナシート基材上に直接ＩＣチップを接続した場合と比較して、歩留まりの高い非接触通信媒体とすることができる。また後述するように、アンテナシートとＩＣチップの実装を別工程で行うことができるので、無駄になるＩＣチップを低減し、コストを下げることができる。
【００３５】
次に、本発明に係る非接触通信媒体の作製工程について説明する。なお図８〜９に記載されている製造装置の各構成要素の配置は相対的なものであり、以下の説明及び図面における構成・配置に限られるものではない。下記説明における上方及び下方とは、それぞれアンテナシートを基準としており、ワイヤコイル形成面を上、反対面を下とする。従って、全体の構成あるいは一部で反転し、天地が逆となっていても良い。例えば、ＩＣチップ実装工程では、重力方向で下向きにアンテナシートを向け、実装時に異物が混入しないようにしても良い。
【００３６】
まず、基材１１を用意し、接続パッド設置位置に開口部１３を設ける。図８に示されているように、本発明に係る基材は、長尺状のものを用いて、各非接触通信媒体のアンテナシートを多面付けして、搬送装置でシートを送りながらＲｔｏＲで製造することができる。開口部は、例えば金型による打ち抜き等で行う。
【００３７】
次に、ワイヤコイル形成手段である布線装置８１により、基材１１上にワイヤをコイル状に固定する。金属線の固定方法としては、ワイヤを基材に押し付けながら超音波を印加することにより埋設することができる。布線装置には、エナメル線布線用の一般的な布線装置を採用することができる。図８では同列の４つのワイヤコイル配置領域に対して一つの布線装置でワイヤコイルを形成しているが、一つの列で複数あるいは多面付けされたアンテナシートの数だけ備えていてもよく、複数の列に複数の布線装置を備えていてもよい。描画されるワイヤのパターンは、図１に示されているように、ワイヤをコイル状に形成する前後で、すなわちワイヤの両端がそれぞれ開口部１３を跨ぐ。このようにすることで、開口部上をワイヤが通過し、開口部の少なくとも２辺でワイヤが固定されるので、安定して接続パッドに接続することができる。
【００３８】
次に、接続パッド２０を開口部に配置し、接続パッド上電極パッドのワイヤコイル接続部に電気的に接続する。接続は、開口部に張られたワイヤの少なくとも一部がワイヤコイル接続部に、ワイヤの絶縁被覆を除去された状態で固定すればよい。図９は、ワイヤコイルの接続パッドへの実装工程を示す模式図である。基材１１のワイヤコイル１２形成面を上とすると、接続パッド保持手段９１は、接続パッドを固定した状態で、基材の下方から移動し、アンテナシートのワイヤコイル形成面の反対面の側から接続パッドを近づけ、開口部に一致するように接続パッドを配置する。接続パッド保持手段（接続パッド保持装置）としては、少なくとも真空吸着等によって、固定台上に接続パッドを固定する機構と、固定台をアンテナシートに対して上下に可動な機構を備える。固定台は、アンテナシートの搬送装置の間に、アンテナシートが接続パッドの直上に来るように配置されており、アンテナシートの搬送及び／又は固定台の移動により、開口部１３と接続パッドの位置が一致できるように構成されている。また、接続パッド保持手段は、図６に示したような多面付けされた接続パッドを打ち抜き手段によって個片化すると同時に、吸着パッドで接続パッド保持手段の固定台上に搬送する搬送手段を備えていても良い。
【００３９】
開口部に一致するように接続パッドを配置した状態で、ワイヤコイル実装手段９２（ワイヤコイル実装装置）によりワイヤコイル接続部にワイヤコイルを接続する。ワイヤコイル実装装置は、熱圧着装置、半田付け装置、超音波接着装置等が挙げられるが、ワイヤの絶縁被覆を溶融し、ワイヤがワイヤコイル接続部と導通するように接着できるものであれば制限はない。ワイヤコイル実装装置は、その先端を開口部１３上のワイヤと接触させるために、上下に稼動する機構を備えている。接続パッド保持手段９１の固定台が上方に移動し、接続パッド２０が開口部１３に配置されると同時にワイヤコイル実装手段の先端がワイヤに接触し、接着するようにすれば、タクトタイムを最小にすることができるので好ましい。なお布線装置同様、接続パッド保持装置及びワイヤコイル実装装置は、一つの列で複数あるいは多面付けされたアンテナシートの数だけ備えていてもよく、複数の列に複数の装置を備えていてもよい。いずれの構成においても、接続パッド保持手段の固定台と、ワイヤコイル実装装置とが、アンテナシートを挟むように配置され、固定台上でワイヤコイル接続部を接続できるように、ワイヤコイル接続部に対して相対的に移動できるように設置される。
上述の工程で接続パッドを接続した段階で、多面付けしたアンテナシートとしてロールに巻き取った状態で出荷することも可能である。
【００４０】
ICチップを実装していない接続パッドを用いた場合には、次に、接続パッドにICチップ２３を実装する。前述のように、アンテナシートに固定する前に、接続パッドへのICチップの実装を行っても良い。この場合には、多面付けされた状態で、ICチップの実装を行うことができるため、生産効率が良い。図５の例では、２つのＩＣチップ接続部を跨ぐようにICチップを配置して電気的に接続する。ＩＣチップの実装は、多面付けされた状態で行っても良いし、アンテナシートを裁断し、個片化した状態で個々に行っても良い。実装には、例えば電極パッドとICチップの間に異方性導電性シートを配置して接着すればよい。さらにICチップを実装した後、ICチップの周囲にアンダーフィル剤を注入したり、ICチップ上に保護層を設けたりしても良い。
【００４１】
なおICチップを実装していない接続パッドを用いた場合には、ＩＣチップの実装前にアンテナシートの検査工程を設け、アンテナシートの段階における不良品を予め除いておくことにより、無駄になるＩＣチップの数を低減することができる。
【００４２】
ＩＣチップ２３を実装した後、必要に応じて第二の基材をインレット３００の両面又は片面に積層する。本発明の非接触通信媒体では、ＲｔｏＲでＩＣチップを実装までを行い、図１０に示すように、そのまま加熱圧着ロールで接着層付きの第二の基材７０を貼り合わせることができる。なおラミネートは、複数の基材を積層する場合、内側の層から順に行っても良いし、一度に行っても良い。積層方法はこれに限られるものではなく、例えば押し出しラミネート、サンドラミネート等用いることができる。その後、最終的に裁断（打ち抜き）して、例えばカード形状の非接触通信媒体とする。
【００４３】
以上のように、本発明に係る非接触通信媒体の製造方法によれば、アンテナシートとは別に設けた接続パッドにワイヤコイル及びＩＣチップの実装を行うことで、アンテナシートの基材に紙基材やプラスチック基材のようなフィルム基材を用いて、ＲｔｏＲで生産することができる。すなわち、アンテナシートを搬送しながら、ワイヤコイルの実装あるいはＩＣチップの実装までの工程をインラインで行うことが可能であり、生産性の高い非接触通信媒体とすることができる。
【００４４】
また、特にアンテナシート基材への接続パッドの接続と、ＩＣチップの実装を別の工程で行うことで、アンテナシートを形成した後に単価の高いＩＣチップを実装することが可能になる。このため、良品のアンテナシートのみにＩＣチップを実装することで、無駄になるＩＣチップの数を減らすことができるから、生産時のコストが低減される。また、アンテナシート基材と別に接続パッドを設け、これにＩＣチップを接続することで、プリント配線基板への実装と同じ方法で、アンテナシートへの実装を行うことができるから、安定したＩＣチップ実装が可能であり、歩留まりが向上する。また、フレキシブルなアンテナシートのみを製造し、ロールの状態で保管し、必要な量のみを巻きだして、アンテナシートにＩＣチップを実装し、非接触通信媒体を製造することができる。このため製造する非接触通信媒体の種類によって複数のＩＣチップを使い分けることも可能である。
【実施例】
【００４５】
本発明の実施例として、非接触ＩＣカードを作製した実施例を示す。
・実施例１
＜接続パッドの作製＞
まずスプロケット規格３５ｍｍスーパーワイドの両面銅箔付ガラスエポキシ基板を用意した。基板の膜厚は約１００μｍである。図６に示したような銅箔パターンとなるようにエッチングし、さらにＩＣチップ及びワイヤ実装面を電解めっき法により金めっきした。このように電極パッドのパターンが多面付けされた基板は、リールに巻き取り、打ち抜き装置で各接続パッドがモジュールサイズ（ＭＯＡ２、フィリップス社規格）に個片化されるように搬送装置にセットした。
【００４６】
＜アンテナシートの作製＞
アンテナシートの基材として、坪量１１０ｇ／ｍ２、膜厚１５０μｍの上質紙に、ワイヤコイル接着用に網状に形成したホットメルト接着剤からなる接着層を積層したものを用いた。ロール状の基材を搬送しながら、開口部の打ち抜きと、超音波を用いた布線装置により、図１に示すアンテナシートのパターンを、図８に示すように１列に４つのアンテナパターンで多面付けして形成した（図８参照）。
【００４７】
前述の搬送装置にセットされた接続パッドのリールから、接続パッドを打ち抜くとともに、真空吸着パッドで接続パッド保持手段である固定台に、接続パッドの金めっきした面が上面となるように配置した。なお、固定台は、アンテナシート搬送の経路中に、川上の布線装置と、川下のＩＣチップ実装装置の間に設置されており、真空吸着により下方から接続パッドを固定している。さらに、固定台の直上に、アンテナシートを挟むようにワイヤコイル実装装置が設置されている。なお、ワイヤコイル実装装置には、加熱圧着装置（ＴＣボンダー）を用いた。
【００４８】
アンテナシートが搬送装置によって搬送され、アンテナシート基材の開口部１３が接続パッドの位置が一致する位置で停止するように制御されている。アンテナシートが停止したところで、固定台を上昇させて開口部に勘合し、ワイヤコイルをワイヤコイル接続部に接触させるとともに、ワイヤコイル実装装置のボンダーヘッドをワイヤに接触させて、ワイヤをワイヤコイル接続部に接着した（図９参照）。次に固定台及びコイル実装装置を元の位置に戻した後、次の接続パッドを固定台上に設置し、同列の隣接するアンテナシート開口部の位置に固定台及びコイル実装装置を移動させて、同じようにワイヤをワイヤコイル接続部に接着した。同様の工程を繰り返して、４つのアンテナパターンに対して接続パッドを固定した。
【００４９】
次に、アンテナシートに固定された接続パッドのＩＣチップ接続部に異方性導電性シートを配置し、異方性導電性シート上にＩＣチップを配置して圧着固定した。さらに、エポキシ樹脂系のアンダーフィル剤をＩＣチップの周囲から注入し、加熱硬化した。
【００５０】
次に、第二の基材として、坪量１１０ｇ／ｍ２、膜厚１５０μｍの上質紙の片面に、接着層として２０μｍのポリエチレンが塗工されたものを、接着層と、ワイヤコイルが対向するように第二の基材と第一の基材を配置した。さらに最外層の第二の基材として、坪量１３５ｇ／ｍ２、膜厚２００μｍの上質紙の片面に、接着層として２０μｍのポリエチレンが塗工されたものを、前述の積層体の上下に配置した（図７（Ｂ）参照）。なお、最外層の第二の基材のポリエチレンが形成されていない側の表面は、カード券面の加工として、予め絵柄の印刷とニスコーティングを施した。これらを配置積層した状態で約１３０℃で加圧することで、各層を加熱圧着し、カード基材を作製した。最後に縦８５．６ｍｍ×横 ５４．０ｍｍのサイズにカード基材を裁断し、非接触ＩＣカードとした。
【００５１】
・実施例２
＜ICチップ付き接続パッドの作製＞
まずスプロケット規格３５ｍｍスーパーワイドの両面銅箔付ガラスエポキシ基板を用意した。基板の膜厚は約１００μｍである。図６に示したような銅箔パターンとなるようにエッチングし、さらにＩＣチップ及びワイヤ実装面を電解めっき法により金めっきした。このように電極パッドのパターンが多面付けされた基板は、リールに巻き取り、打ち抜き装置で各接続パッドがモジュールサイズ（ＭＯＡ２、フィリップス社規格）に個片化されるように搬送装置にセットした。
【００５２】
次に、接続パッド基材に電極パッドのパターンが多面付けされた状態で、電極パッドのＩＣチップ接続部に異方性導電性シートを配置し、異方性導電性シート上にＩＣチップを配置して圧着固定した。さらに、エポキシ樹脂系のアンダーフィル剤をＩＣチップの周囲から注入し、加熱硬化することによりICチップ付き接続パッドを作製した。
【００５３】
＜アンテナシートの作製＞
アンテナシートの基材として、坪量１１０ｇ／ｍ２、膜厚１５０μｍの上質紙に、ワイヤコイル接着用に網状に形成したホットメルト接着剤からなる接着層を積層したものを用いた。ロール状の基材を搬送しながら、開口部の打ち抜きと、超音波を用いた布線装置により、図１に示すアンテナシートのパターンを、図８に示すように１列に４つのアンテナパターンで多面付けして形成した（図８参照）。
【００５４】
前述の搬送装置にセットされた接続パッドのリールから、接続パッドを打ち抜くとともに、真空吸着パッドで接続パッド保持手段である固定台に、接続パッドの金めっきした面が上面となるように配置した。なお、固定台は、アンテナシート搬送の経路中に、川上の布線装置と、川下のＩＣチップ実装装置の間に設置されており、真空吸着により下方から接続パッドを固定している。さらに、固定台の直上に、アンテナシートを挟むようにワイヤコイル実装装置が設置されている。なお、ワイヤコイル実装装置には、加熱圧着装置（ＴＣボンダー）を用いた。
【００５５】
アンテナシートが搬送装置によって搬送され、アンテナシート基材の開口部１３が接続パッドの位置が一致する位置で停止するように制御されている。アンテナシートが停止したところで、固定台を上昇させて開口部に勘合し、ワイヤコイルをワイヤコイル接続部に接触させるとともに、ワイヤコイル実装装置のボンダーヘッドをワイヤに接触させて、ワイヤをワイヤコイル接続部に接着した（図９参照）。次に固定台及びコイル実装装置を元の位置に戻した後、次の接続パッドを固定台上に設置し、同列の隣接するアンテナシート開口部の位置に固定台及びコイル実装装置を移動させて、同じようにワイヤをワイヤコイル接続部に接着した。同様の工程を繰り返して、４つのアンテナパターンに対して接続パッドを固定した。
【００５６】
次に、第二の基材として、坪量１１０ｇ／ｍ２、膜厚１５０μｍの上質紙の片面に、接着層として２０μｍのポリエチレンが塗工されたものを、接着層と、ワイヤコイルが対向するように第二の基材と第一の基材を配置した。さらに最外層の第二の基材として、坪量１３５ｇ／ｍ２、膜厚２００μｍの上質紙の片面に、接着層として２０μｍのポリエチレンが塗工されたものを、前述の積層体の上下に配置した（図７（Ｂ）参照）。なお、最外層の第二の基材のポリエチレンが形成されていない側の表面は、カード券面の加工として、予め絵柄の印刷とニスコーティングを施した。これらを配置積層した状態で約１３０℃で加圧することで、各層を加熱圧着し、カード基材を作製した。最後に縦８５．６ｍｍ×横 ５４．０ｍｍのサイズにカード基材を裁断し、非接触ＩＣカードとした。
【符号の説明】
【００５７】
１００、２００・・アンテナシート
１１・・・第一の基材
１２・・・ワイヤコイル
１３・・・開口部
２０・・・接続パッド
２１・・・接続パッド用基材
２２・・・電極パッド
２２１・・ワイヤコイル接続部
２２２・・ＩＣチップ接続部
２３・・・ＩＣチップ
３００・・非接触通信媒体（インレット）
７００・・非接触通信媒体
７１・・・第二の基材
７３・・・接着層
８１・・・布線装置
９１・・・接続パッド保持手段
９２・・・ワイヤコイル実装手段
【図１】
0005672991.tif 000002
【図２】
0005672991.tif 000003
【図３】
0005672991.tif 000004
【図４】
0005672991.tif 000005
【図５】
0005672991.tif 000006
【図６】
0005672991.tif 000007
【図７】
0005672991.tif 000008
【図８】
0005672991.tif 000009
【図９】
0005672991.tif 000010
【図１０】
0005672991.tif 000011